(57)【要約】【課題】測定時の被験者の状態に基づいて効率的に生体波形を表示できる生体波形表示システム、生体波形表示方法および表示装置を提供する。【解決手段】不揮発性メモリに格納される心電波形データ２８０のうち、「自覚症状」フィールド２８３は、被験者が入力した自覚症状の有無（「自覚症状有」または「自覚症状無」）の情報、もしくはそれに加えて被験者が入力した「自覚症状の種類」を格納する。「正常・異常情報」フィールド２８４は、種別情報を格納する。固定ディスクに格納される心電波形データ２８０Ａは、既読情報を格納する「既読フラグ」フィールド２８６を格納する。【選択図】図１４
2009028153.tif 000002
【特許請求の範囲】
【請求項１】
被験者の身体の一部から生体信号を検出する信号検出部と、
前記信号検出部によって検出された前記生体信号を生体波形データとして格納する第１記憶部と、
前記生体信号の測定時に、当該被験者からの状態値の入力を受付ける入力手段と、
前記入力手段によって取得された前記被験者の状態値を含む属性情報を前記第１記憶部に格納された前記生体波形データに付加する第１付加手段と、
前記生体波形データに応じた生体波形を表示可能な表示部と、
ユーザにより設定された条件に従って、前記生体波形データの中から表示対象となる生体波形データを決定する表示対象決定手段とを備える、生体波形表示システム。
【請求項２】
前記表示対象決定手段は、前記生体波形データのうち、その前記属性情報が所定の抽出条件を満足するものを抽出することで前記表示対象を決定する抽出手段を含む、請求項１に記載の生体波形表示システム。
【請求項３】
前記抽出手段は、前記抽出条件を受付けるための抽出条件設定画面を前記表示部に表示させる、請求項２に記載の生体波形表示システム。
【請求項４】
前記表示対象決定手段は、前記属性情報に基づいて、前記生体波形データを整列条件に従って整列することで前記表示対象を決定する整列手段を含む、請求項１〜３のいずれか１項に記載の生体波形表示システム。
【請求項５】
前記整列手段は、前記整列条件を受付けるための整列条件設定画面を前記表示部に表示させる、請求項４に記載の生体波形表示システム。
【請求項６】
前記属性情報は、前記生体波形の既読／未読を示す既読情報をさらに含む、請求項１〜５のいずれか１項に記載の生体波形表示システム。
【請求項７】
前記生体波形表示システムは、携帯型測定装置と表示装置とからなり、
前記携帯型測定装置は、前記信号検出部と、前記第１記憶部と、前記入力手段と、前記第１付加手段とを含み、
前記表示装置は、前記表示部と、前記表示対象決定手段とを含み、
前記表示装置は、
前記携帯型測定装置の前記第１記憶部から前記属性情報が付加された前記生体波形データを受取るインターフェイス部と、
前記インターフェイス部を介して受取った、前記属性情報が付加された前記生体波形データを格納する第２記憶部とをさらに含む、請求項１〜６のいずれか１項に記載の生体波形表示システム。
【請求項８】
前記信号検出部によって検出された前記生体信号データに現れる特徴的な時間変化を抽出することで前記生体波形データの種別情報を判別する判別手段をさらに備え、
前記属性情報は、前記判別手段によって判別された前記生体波形データの種別情報を含む、請求項１〜７のいずれか１項に記載の生体波形表示システム。
【請求項９】
前記表示部は、同一画面上に複数の前記生体波形を表示する、請求項１〜８のいずれか１項に記載の生体波形表示システム。
【請求項１０】
前記生体波形は、心電波形である、請求項１〜９のいずれか１項に記載の生体波形表示システム。
【請求項１１】
生体波形表示システムを用いた生体波形表示方法であって、
被験者の身体の一部から生体信号を検出するステップと、
検出された前記生体信号を生体波形データとして格納するステップと、
前記生体信号の測定時に、当該被験者からの状態値の入力を受付けるステップと、
受付けた前記被験者の状態値を含む属性情報を格納した前記生体波形データに付加するステップと、
ユーザにより設定された条件に従って、前記生体波形データの中から表示対象となる生体波形データを決定するステップと、
表示対象に決定された前記生体波形データに応じた生体波形を表示するステップとを備える、生体波形表示方法。
【請求項１２】
携帯型測定装置によって測定された生体波形データに基づいて生体波形を表示する表示装置あって、
前記携帯型測定装置は、被験者の身体の一部から生体信号を検出し、その検出した前記生体信号を生体波形データとして記憶部に格納し、前記生体信号の測定時に当該被験者から入力される状態値を含む属性情報を格納した生体波形データに付加し、
前記表示装置は、
前記携帯型測定装置から前記属性情報が付加された前記生体波形データを受取るインターフェイス部と、
前記生体波形データに応じた生体波形を表示可能な表示部と、
ユーザにより設定された条件に従って、前記生体波形データの中から表示対象となる生体波形データを決定する表示対象決定手段とを備える、表示装置。
【発明の詳細な説明】
【技術分野】
【０００１】
この発明は生体波形表示システム、生体波形表示方法および表示装置に関し、特に診断時に生体波形を効率的に表示するための方法に関する。
【背景技術】
【０００２】
被験者の生体波形を利用する方法の代表例として心電図検査がある。心電図検査は、不整脈の診断や狭心症および心筋梗塞等などの虚血性心疾患の診断に利用される。心電図検査には、病院などで行なわれる短時間内での心電波形を測定する検査（代表的に、１２誘導心電図検査）と、日常生活を送りながら連続的に心電波形を測定する検査（代表的に、ホルター心電図検査）とがある。
【０００３】
ところで、発生頻度の低い不整脈の心電波形を測定しようとする場合には、上記のいずれの検査によっても測定できないことがある。このような場合には、イベント型心電図検査が有用であると提案されている。
【０００４】
イベント型心電図検査は、被験者が小型の測定装置を携帯して、ホルター心電図検査より長い期間（たとえば、２週間から１ヶ月程度）にわたって日常生活を送り、何らかの症状を自覚したタイミングや予め医師から指示された所定タイミング（たとえば、起床後や就寝前）に、被験者自身の操作によって心電波形を測定するものである。イベント型心電図検査によって測定された心電波形の各々は、数十秒から数分程度のものであるが、検査期間中に測定された心電波形の総数は、数百個となることも珍しくない。そのため、診断時に医師が測定されたすべての心電波形を確認することは現実的ではない。
【０００５】
これに対して、測定された心電波形のうち相当数の心電波形は不整脈に無関係なものであり、医師による確認が不要である。また、同一の不整脈の期間内に被験者が複数回にわたって心電波形を測定する場合があり、このような場合には測定された心電波形は冗長なものとなる。
【０００６】
そこで、特開２００７−２０７９９号公報（特許文献１）には、心電図の解析結果を提示する解析レポートであって、解析結果から推定された異常状態に関する情報を提示する領域であって、当該領域中の位置と重症度とが関連付けられた領域とを有するものが開示されている。
【特許文献１】特開２００７−２０７９９号公報
【発明の開示】
【発明が解決しようとする課題】
【０００７】
ところで、症状によっては、被験者が何らかの症状を自覚したタイミングで測定された心電波形だけを確認したいという医師の要望がある。上述の特開２００７−２０７９９号公報（特許文献１）に開示された解析レポートは、測定された心電波形を解析して表示するものであり、測定時の被験者の状態値（代表的に、自覚症状の有無など）に基づいて心電波形を選別および表示するものではなかった。そのため、このような医師の要望を満たすことはできなかった。
【０００８】
そこで、この発明は、かかる問題を解決するためになされたものであり、その目的は、測定時の被験者の状態に基づいて効率的に生体波形を表示できる生体波形表示システム、生体波形表示方法および表示装置を提供することである。
【課題を解決するための手段】
【０００９】
この発明のある局面に従う生体波形表示システムは、被験者の身体の一部から生体信号を検出する信号検出部と、信号検出部によって検出された生体信号を生体波形データとして格納する第１記憶部と、生体信号の測定時に、当該被験者からの状態値の入力を受付ける入力手段と、入力手段によって取得された被験者の状態値を含む属性情報を第１記憶部に格納された生体波形データに付加する第１付加手段と、生体波形データに応じた生体波形を表示可能な表示部と、ユーザにより設定された条件に従って、生体波形データの中から表示対象となる生体波形データを決定する表示対象決定手段とを備える。
【００１０】
この発明によれば、検出した生体信号を生体波形データとして格納する際に、被験者から入力される状態値を含む属性情報を付加する。さらに、この生体波形データに付加された属性情報に基づいて、ユーザ（代表的に、医師などの診断実施者）が設定する条件に従って、表示対象の生体波形データを決定することができる。したがって、測定時の被験者の状態に基づいて効率的な生体波形の表示ができる。
【００１１】
好ましくは、表示対象決定手段は、生体波形データのうち、その属性情報が所定の抽出条件を満足するものを抽出することで表示対象を決定する抽出手段を含む。
【００１２】
さらに好ましくは、抽出手段は、抽出条件を受付けるための抽出条件設定画面を表示部に表示させる。
【００１３】
また、好ましくは、表示対象決定手段は、属性情報に基づいて、生体波形データを整列条件に従って整列することで表示対象を決定する整列手段を含む。
【００１４】
さらに好ましくは、整列手段は、整列条件を受付けるための整列条件設定画面を表示部に表示させる。
【００１５】
好ましくは、属性情報は、生体波形の既読／未読を示す既読情報をさらに含む。
好ましくは、生体波形表示システムは、携帯型測定装置と表示装置とからなり、携帯型測定装置は、信号検出部と、第１記憶部と、入力手段と、第１付加手段とを含み、表示装置は、表示部と、表示対象決定手段とを含む。表示装置は、携帯型測定装置の第１記憶部から属性情報が付加された生体波形データを受取るインターフェイス部と、インターフェイス部を介して受取った、属性情報が付加された生体波形データを格納する第２記憶部とをさらに含む。
【００１６】
好ましくは、信号検出部によって検出された生体信号データに現れる特徴的な時間変化を抽出することで生体波形データの種別情報を判別する判別手段をさらに備え、属性情報は、判別手段によって判別された生体波形データの種別情報を含む。
【００１７】
好ましくは、表示部は、同一画面上に複数の生体波形を表示する。
好ましくは、生体波形は、心電波形である。
【００１８】
この発明の別の局面に従えば、生体波形表示システムを用いた生体波形表示方法であって、被験者の身体の一部から生体信号を検出するステップと、検出された生体信号を生体波形データとして格納するステップと、生体信号の測定時に、当該被験者からの状態値の入力を受付けるステップと、受付けた被験者の状態値を含む属性情報を格納した生体波形データに付加するステップと、ユーザにより設定された条件に従って、生体波形データの中から表示対象となる生体波形データを決定するステップと、表示対象に決定された生体波形データに応じた生体波形を表示するステップとを備える。
【００１９】
この発明のさらに別の局面に従えば携帯型測定装置によって測定された生体波形データに基づいて生体波形を表示する表示装置あって、携帯型測定装置は、被験者の身体の一部から生体信号を検出し、その検出した生体信号を生体波形データとして記憶部に格納し、生体信号の測定時に当該被験者から入力される状態値を含む属性情報を格納した生体波形データに付加する。表示装置は、携帯型測定装置から属性情報が付加された生体波形データを受取るインターフェイス部と、生体波形データに応じた生体波形を表示可能な表示部と、ユーザにより設定された条件に従って、生体波形データの中から表示対象となる生体波形データを決定する表示対象決定手段とを備える。
【発明の効果】
【００２０】
この発明によれば、測定時の被験者の状態に基づいて効率的に生体波形を表示できる。
【発明を実施するための最良の形態】
【００２１】
この発明の実施の形態について、図面を参照しながら詳細に説明する。なお、図中の同一または相当部分については、同一符号を付してその説明は繰返さない。
【００２２】
（生体波形表示システムの構成）
図１は、本実施の形態に従う生体波形表示システムの代表例である心電波形表示システムＳＹＳの概略構成図である。
【００２３】
図１を参照して、心電波形表示システムＳＹＳは、携帯型測定装置の代表例である携帯型心電計１００と、表示装置２００とを備える。携帯型心電計１００は、主としてイベント型心電図検査に使用される携帯可能な心電計であり、被験者自身の操作によって生体波形の代表例である心電波形を測定するためのものである。そして、この携帯型心電計１００によって測定された心電波形データは、一例として携帯型心電計１００に着脱可能な不揮発性メモリ１５５ｃに格納されるととともに、この不揮発性メモリ１５５ｃは表示装置２００に装着されて、携帯型心電計１００によって測定された心電波形データが表示装置２００に転送される。特に、本実施の形態に従う携帯型心電計１００は、後述するように、心電波形データの格納時に被験者の状態値を含む属性情報を付加する。
【００２４】
表示装置２００は、不揮発性メモリ１５５ｃに格納された心電波形データを受入れて、その心電波形をモニタ部２２０に表示する。特に、本実施の形態に従う表示装置２００は、心電波形データに付加された属性情報に基づいて、医師などの診断者が設定した所定の抽出条件を満足する心電波形データを抽出した上で、当該抽出した心電波形データに基づいて心電波形を表示する。
【００２５】
（携帯型心電計の外観構成）
まず、図２および図３を参照して、携帯型心電計１００の外観構造について説明する。
【００２６】
図２および図３は、本実施の形態に従う携帯型心電計１００の概略斜視図である。
図２および図３を参照して、本実施の形態に従う携帯型心電計１００は、携帯性に優れたものとなるように、片手で保持することが可能な大きさおよび重さにまで小型軽量化されている。携帯型心電計１００は、扁平かつ細長の略直方体形状の外形を有する装置本体１１０を備えており、その外表面に表示部、操作部および測定電極などが配置されている。
【００２７】
装置本体１１０の正面１１１の長手方向（図中矢印Ａ方向）の一方端側には、測定開始を指示するための測定ボタン１４２が設けられており、他方端側には、表示部１４８が設けられている。この表示部１４８は、たとえば液晶ディスプレイなどによって構成され、測定結果や被験者の状態値を入力するための画面などを表示する。測定結果は、たとえば図２に示すように心電波形や数値データとして表示される。
【００２８】
装置本体１１０の上面１１３の所定位置には、電源ボタン１４１が配置されている。電源ボタン１４１は、携帯型心電計１００のＯＮ／ＯＦＦを操作する操作ボタンである。また、装置本体１１０の上面１１３の所定位置には、蓋体である開閉カバー１３０が設けられている。この開閉カバー１３０は、不揮発性メモリ１５５ｃ（図１）が装着されるスロットを閉状態において覆い隠すように設けられたものであり、装置本体１１０に対して開閉自在に取付けられている。
【００２９】
装置本体１１０の下面１１４の所定位置には、各種の操作ボタンが配置されている。図示する携帯型心電計１００においては、メニューボタン１４３、決定ボタン１４４、左スクロールボタン１４５、および右スクロールボタン１４６が配置されている。ここで、メニューボタン１４３は、携帯型心電計１００の各種メニューを表示するための操作ボタンであり、決定ボタン１４４は、メニューや各操作を実行するために用いる操作ボタンである。そして左スクロールボタン１４５および右スクロールボタン１４６は、表示部１４８に表示される測定結果のグラフやガイド情報等をスクロールして表示させるための操作ボタンである。
【００３０】
装置本体１１０の長手方向の一方端に位置する右側面１１５には、一対の測定電極のうちの一方の電極である負電極１２１と、身体の電位変化の基準となる電位を導出するための不関電極１２３とが配置されている。この右側面１１５は、後述する測定姿勢を被験者がとった際に被験者の右手の人差し指がフィットするように滑らかに湾曲した形状となっている。さらに、この右側面１１５には、上下方向に向かって延びる凹部１１５ａが形成されている。この凹部１１５ａは、被験者の右手の人差し指を受入れる形状となっている。
【００３１】
上述の負電極１２１および不関電極１２３は、導電性部材にて形成されている。また、負電極１２１および不関電極１２３は、右側面１１５に設けられた凹部１１５ａ内において、その表面が装置本体１１０の外表面に露出した状態となるように配置されている。なお、負電極１２１は、右側面１１５の上面１１３寄りに位置しており、不関電極１２３は、右側面１１５の下面１１４寄りに位置している。
【００３２】
装置本体１１０の長手方向の他方端に位置する左側面１１６には、一対の測定電極のうちの他方の電極である正電極１２２が配置されている。
【００３３】
（携帯型心電計による測定）
次に、図４および図５を参照して、被験者が本実施の形態に従う携帯型心電計１００を用いて心電波形を測定する状態について説明する。
【００３４】
図４は、本実施の形態に従う携帯型心電計１００を用いた被験者の測定姿勢を示す斜視図である。
【００３５】
図５は、図４に示す測定姿勢を上方から見た図である。
図４および図５を参照して、被験者３００は、携帯型心電計１００の装置本体１１０の一方端寄りを右手３１０で把持しつつ、装置本体１１０の他方端に位置する左側面１１６に設けられた正電極１２２（図３）を胸部３５０の左側下部に位置する第５肋間前腋窩線上の皮膚に直接接触させる。そして、右手３１０の親指３１１にて装置本体１１０の正面１１１に設けられた測定ボタン１４２（図２，図３）を押下する。そして、この状態を数十秒程度維持しつつ心電波形を測定する。
【００３６】
このような測定姿勢をとることにより、携帯型心電計１００の装置本体１１０の右側面１１５に位置する負電極１２１および不関電極１２３が被験者３００の右手３１０の人差し指３１２に接触し、装置本体１１０の左側面１１６に位置する正電極１２２が被験者３００の胸部３５０に接触した状態となる。これにより、負電極１２１に接触した右手３１０、胸部３５０に非接触の前腕３２０、同じく胸部３５０に非接触の上腕３３０および右肩３４０を介して正電極１２２が取付けられた胸部３５０の順で被験者の身体に測定回路が構成されるようになる。
【００３７】
このように、負電極１２１、正電極１２２および不関電極１２３が被験者３００の身体の一部から電気信号である生体信号を検出する。
【００３８】
（携帯型心電計の機能構成）
次に、図６を参照して、本実施の形態に従う携帯型心電計１００の機能構成について説明する。
【００３９】
図６は、本発明の実施の形態に従う携帯型心電計１００の機能構成を示す機能ブロック図である。
【００４０】
図６を参照して、携帯型心電計１００は、負電極１２１、正電極１２２、不関電極１２３から構成される電極部１２０と、電源ボタン１４１、測定ボタン１４２、メニューボタン１４３、決定ボタン１４４、左スクロールボタン１４５、右スクロールボタン１４６から構成される操作部１４０と、表示部１４８と、電源１６０と、処理回路１５０とを備える。
【００４１】
処理回路１５０は、電極部１２０によって検出される生体信号（電気信号）を増幅するアンプ回路１５１と、ノイズ成分を除去するフィルタ回路１５２と、アナログ信号をデジタル信号に変換するＡ／Ｄ（Analog to Digital）コンバータ１５３と、演算処理部であるＣＰＵ（Central Processing Unit）１５４と、メモリ１５５とを含む。メモリ１５５は、ＲＯＭ（Read Only Memory）１５５ａと、ＲＡＭ（Random Access Memory）１５５ｂと、不揮発性メモリ１５５ｃとを含む。なお、上述したように不揮発性メモリ１５５ｃは、スロット（図示しない）に対して着脱可能に構成される。
【００４２】
電極部１２０によって検出される生体信号（電気信号）は、アンプ回路１５１によって増幅された後、フィルタ回路１５２でノイズ成分が除去され、さらにＡ／Ｄコンバータ１５３によって心電波形データ（デジタル信号）に変換される。ＣＰＵ１５４は、このＡ／Ｄコンバータ１５３によって変換された心電波形データを不揮発性メモリ１５５ｃへ格納する。また、ＣＰＵ１５４は、操作部１４０に含まれる各種操作ボタンからの指令信号を受信し、受信した指令信号に応じた処理を実行するとともに、表示部１４８への表示制御を行なう。
【００４３】
さらに、ＣＰＵ１５４は、入力部１５４ａと、種別判別部１５４ｂと、属性情報付加部１５４ｃとをその機能として含む。なお、これらの機能は、代表的に、予めＲＯＭ１５５ａに格納されたプログラムがＣＰＵ１５４によってＲＡＭ１５５ｂに読み出されて実行されることで実現される。
【００４４】
入力部１５４ａは、被験者の状態値を入力するための画面を、たとえば測定終了後に表示部１４８に表示するとともに、被験者が操作部１４０を操作することで入力する状態値を受付ける。そして、入力部１５４ａは、この受付けた被験者の状態値を属性情報付加部１５４ｃへ出力する。また、種別判別部１５４ｂは、Ａ／Ｄコンバータ１５３から出力される心電波形データに対して解析処理を実行し、心電波形データの種別情報を判別する。そして、種別判別部１５４ｂは、この判別結果を属性情報付加部１５４ｃへ出力する。属性情報付加部１５４ｃは、測定終了後に不揮発性メモリ１５５ｃに格納される心電波形データに対して、入力部１５４ａからの被験者の状態値および種別判別部１５４ｂからの種別情報を含む属性情報を付加する。
【００４５】
（測定処理手順）
次に、図７を参照して、本実施の形態に従う携帯型心電計１００における心電波形の測定に係る処理手順について説明する。
【００４６】
図７は、本実施の形態に従う携帯型心電計１００における心電波形の測定に係る処理手順を示すフローチャートである。
【００４７】
図６および図７を参照して、まず、ＣＰＵ１５４は、測定ボタン１４２（図２，図３）の押下により心電波形の測定開始の指示が入力されると、被験者の心電波形の測定を開始する（ステップＳ１００）。より具体的には、アンプ回路１５１が電極部１２０によって検出された電気信号を増幅し、増幅された電気信号に対してフィルタ回路１５２がノイズの除去を行なう。そして、Ａ／Ｄコンバータ１５３がノイズの除去後の電気信号（アナログ信号）をデジタル信号に変換する。ＣＰＵ１５４は、Ａ／Ｄコンバータ１５３において変換されたデジタル信号を取得し、表示部１４８にリアルタイム表示するとともに、ＲＡＭ１５５ｂに一時的に格納する。
【００４８】
このような処理が、たとえばタイマ（図示せず）などにより規定時間の間継続的に実行される（ステップＳ１０２）。
【００４９】
図８は、本実施の形態に従う携帯型心電計１００の表示部１４８における測定中の表示例を示す図である。
【００５０】
図８を参照して、表示部１４８には、測定された心電波形１６１が所定時間分だけ表示されるとともに、測定の進行によって右または左にスクロールして新たに測定された心電波形に随時更新される。また、心電波形１６１と同一画面上に、６０拍／分を意味する「６０ｂｐｍ」と示された単位時間当たりの心拍数データ１６３が表示されている。なお、測定中に表示する項目はこれに限られず、他の情報を表示するようにしてもよい。
【００５１】
再度、図６および図７を参照して、心電波形の測定が終了すると、入力部１５４ａとして機能するＣＰＵ１５４は、被験者に自身の状態値の入力を促す画面を表示部１４８に表示する（ステップＳ１０４）。そして、入力部１５４ａとして機能するＣＰＵ１５４は、被験者がこの表示部１４８に表示される画面を見ながら入力する状態値を受付ける（ステップＳ１０６）。
【００５２】
図９は、本実施の形態に従う携帯型心電計１００の表示部１４８における測定終了後の表示例を示す図である。
【００５３】
図９を参照して、心電波形の測定が終了すると、ＣＰＵ１５４は「自覚症状はありますか。」とのメッセージとともに、「はい」選択領域１７０ａおよび「いいえ」選択領域１７０ｂを表示する。選択領域１７０ａ，１７０ｂは、被験者が操作部１４０（図６）を操作することによって選択が可能に構成される。ここで、被験者が「はい」選択領域１７０ａを選択して決定ボタン１４４を操作すると、入力部１５４ａとして機能するＣＰＵ１５４は、被験者の状態値として「自覚症状有」を受付ける。これに対して、被験者が「いいえ」選択領域１７０ｂを選択して決定ボタン１４４を操作すると、入力部１５４ａとして機能するＣＰＵ１５４は、被験者の状態値として「自覚症状無」を受付ける。
【００５４】
図９に示す表示例に代えて、より詳細に自覚症状を選択できるようにしてもよい。
図１０は、本実施の形態に従う携帯型心電計１００の表示部１４８における測定終了後の表示例の別形態を示す図である。図１０を参照して、心電波形の測定が終了すると、ＣＰＵ１５４は「今の自覚症状を選んでください。」とのメッセージとともに、「胸が痛い」、「ドキドキ」、「その他」、「なし」の４つの項目のいずれかを選択できるように選択領域１７２ａ〜１７２ｄを表示する。選択領域１７２ａ〜１７２ｄは、被験者が操作部１４０（図６）を操作することによって選択が可能に構成される。
【００５５】
ここで、被験者が選択領域１７２ａ〜１７２ｃのいずれかを選択すると、入力部１５４ａとして機能するＣＰＵ１５４は、被験者の状態値として「自覚症状有」を受付けるとともに、各選択に対応する自覚症状の種類を受付ける。これに対して、被験者が選択領域１７２ｄを選択すると、入力部１５４ａとして機能するＣＰＵ１５４は、被験者の状態値として「自覚症状無」を受付ける。
【００５６】
上述のように、本明細書における「被験者の状態値」とは、上述の「自覚症状」のように被験者の主観的な感覚を含む情報であり、測定された心電波形に対する客観的な解析によっては取得できないような情報を含む。
【００５７】
再度、図６および図７を参照して、心電波形の測定が終了すると、種別判別部１５４ｂとして機能するＣＰＵ１５４は、ＲＡＭ１５５ｂに格納した心電波形データに対して解析処理を実行し、心電波形データの種別情報を判別する（ステップＳ１０８）。より具体的には、種別判別部１５４ｂとして機能するＣＰＵ１５４は、ＲＡＭ１５５ｂに格納した心電波形データに現れる特徴的な時間変化を抽出することで心電波形データの種別情報を判別する。
【００５８】
図１１は、本実施の形態に従う携帯型心電計１００における心電波形データの種別情報の判別処理を説明するための図である。図１１（ａ）は、電極部１２０によって検出される生体信号（電気信号）の波形を示し、図１１（ｂ）は、図１１（ａ）に示す生体信号をフィルタ処理した後の波形を示す。
【００５９】
図１１を参照して、種別判別部１５４ｂとして機能するＣＰＵ１５４は、図１１（ａ）に示すような電極部１２０によって検出される生体信号に対して、一種の低域通過フィルタ（ＬＰＦ）に相当するフィルタ処理を行なって、低周波成分を抽出する。すると、図１１（ｂ）に示すような時間波形が得られる。さらに、ＣＰＵ１５４は、図１１（ｂ）に示す時間波形のうち、所定のしきい値レベルＴｈを超える成分を「Ｒ波」成分として抽出する。このように、種別判別部１５４ｂとして機能するＣＰＵ１５４は、電極部１２０によって検出される生体信号に現れる特徴的な時間変化を抽出する。
【００６０】
さらに、ＣＰＵ１５４は、このＲ波成分に基づいて、たとえば異常項目として「頻脈」、「徐脈」、「ＲＲ間隔不整」、「心休止」、「心室性期外収縮」の５種類の種別情報を判別する。なお、種別情報はこれらに限られず、他の項目を追加してもよい。また、いずれの種別にも該当しない場合には、対応する心電波形は正常と判断される。
【００６１】
ここで、上記５項目の種別について簡単に説明する。一般的に、「頻脈」とは、心拍数が１分間に１００回以上あることをいい、「徐脈」とは、心拍数が１分間に５０回以下であることをいう。この「頻脈」または「徐脈」は、図１１（ｂ）に示すＲ波の波間隔１８０に基づいて判別される。「ＲＲ間隔不整」とは、Ｒ波間隔が不規則であることをいい、たとえばＲ波のリズムが崩れたり、１拍抜けたりすることをいう。この「ＲＲ間隔不整」は、図１１（ｂ）に示すＲ波の波間隔１８０に基づいて判別される。「心休止」は、「ｐａｕｓｅ」とも称され、一時的に心臓が活動を停止していることをいう。この「心休止」は、図１１（ｂ）に示すＲ波が検出されない期間１８２の長さに基づいて判別される。「心室性期外収縮」は、「ＶＰＣ（Ventricular Premature Contraction）」とも称され、心臓の心室から発生した異所性興奮をいう。この「心室性期外収縮」は、図１１（ｂ）に示すＲ波ピークを形成する三角形の幅（ＱＲＳ幅）１８４の大きさに基づいて判別される。
【００６２】
種別判別部１５４ｂとして機能するＣＰＵ１５４は、上述のような種別情報の判別処理によって、心電波形の各測定に対して種別情報を判別する。
【００６３】
なお、上述のステップＳ１０４およびＳ１０６の処理と、ステップＳ１０８の処理とは並列的に処理されてもよいし、直列的に処理されてもよい。なお、直列的に処理される場合には、その実行順序は問わない。
【００６４】
再度、図６および図７を参照して、被験者からの状態値および心電波形データの種別情報を取得すると、属性情報付加部１５４ｃとして機能するＣＰＵ１５４は、これらの情報を属性情報として、ＲＡＭ１５５ｂに格納した心電波形データに対して付加（ステップＳ１１０）した上で、不揮発性メモリ１５５ｃに格納する（ステップＳ１１２）。より具体的には、この属性情報は、ヘッダ情報として心電波形データに付加される。そして、携帯型心電計１００における心電波形の測定処理は終了する。
【００６５】
（表示装置の機能構成）
再度、図１を参照して、表示装置２００は、代表的にコンピュータによって構成され、ＦＤ（Flexible Disk）駆動装置２１４およびＣＤ−ＲＯＭ（Compact Disk-Read Only Memory)駆動装置２１５を備えたコンピュータ本体２１０と、キーボード２３０と、マウス２４０とをさらに含む。
【００６６】
図１２は、本実施の形態に従う表示装置２００を構成するコンピュータのハードウェア構成を示す概略構成図である。
【００６７】
図１２を参照して、コンピュータ本体２１０は、図１に示すＦＤ駆動装置２１４およびＣＤ−ＲＯＭ駆動装置２１５に加えて、相互にバスで接続された、演算装置であるＣＰＵ（Central Processing Unit）２１１と、メモリ２１２と、記憶装置である固定ディスク２１３と、インターフェイス部２１６とを含む。
【００６８】
ＦＤ駆動装置２１４にはＦＤ２１４ａが装着され、ＣＤ−ＲＯＭ駆動装置２１５にはＣＤ−ＲＯＭ２１５ａが装着される。本実施の形態に従う表示装置２００は、ＣＰＵ２１１がメモリ２１２などのコンピュータハードウェアを用いて、ソフトウェアを実行することで実現される。一般的に、このようなソフトウェアは、ＦＤ２１４ａやＣＤ−ＲＯＭ２１５ａなどの記録媒体に格納されて、またはネットワークなどを介して流通する。そして、このようなソフトウェアは、ＦＤ駆動装置２１４やＣＤ−ＲＯＭ駆動装置２１５などにより記録媒体から読取られて、または通信インターフェイス（図示しない）にて受信されて、固定ディスク２１３に格納される。さらに、固定ディスク２１３からメモリ２１２に読出されて、ＣＰＵ２１１により実行される。
【００６９】
モニタ部２２０は、ＣＰＵ２１１が出力する生体波形などの情報を表示するための表示部であって、一例としてＬＣＤ（Liquid Crystal Display）やＣＲＴ（Cathode Ray Tube）などから構成される。マウス２４０は、クリックやスライドなどの動作に応じたユーザ（代表的に、医師などの診断実施者）からの指令を受付ける。キーボード２３０は、入力されるキーに応じたユーザから指令を受付ける。ＣＰＵ２１１は、プログラムされた命令を順次実行することで、各種の演算を実施する演算処理部である。メモリ２１２は、ＣＰＵ２１１のプログラム実行に応じて各種の情報を記憶する。インターフェイス部２１６は、携帯型心電計１００のメモリ１５５（図６）から属性情報が付加された心電波形データを受取るための部位であり、本実施の形態においては不揮発性メモリ１５５ｃを装着可能なスロットおよびそのスロットを制御する周辺回路などから構成される。なお、不揮発性メモリ１５５ｃを装着可能なスロットに代えて、携帯型心電計１００とデータ通信可能な通信インターフェイス部として構成してもよい。固定ディスク２１３は、ＣＰＵ２１１が実行するプログラムや、携帯型心電計１００のメモリ１５５（図６）から受取った属性情報が付加された心電波形データを格納する不揮発性の記憶装置である。また、表示装置２００には、必要に応じてプリンタなどの他の出力装置が接続されてもよい。
【００７０】
（表示装置の機能構成）
次に、図を参照して、本実施の形態に従う表示装置２００の機能構成について説明する。
【００７１】
図１３は、本発明の実施の形態に従う表示装置２００の機能構成を示す機能ブロック図である。
【００７２】
図１３を参照して、表示装置２００のＣＰＵ２１１は、抽出部２１１ａと、既読情報付加部２１１ｂと、表示データ生成部２１１ｃと、整列部２１１ｄとをその機能として含む。なお、これらの機能は、代表的に予め固定ディスク２１３などに格納されたプログラムがＣＰＵ２１１によってメモリ２１２に読み出されて実行されることで実現される。また、インターフェイス部２１６は、不揮発性メモリ１５５ｃが装着されると、不揮発性メモリ１５５ｃから心電波形データ２８０を読み出して、固定ディスク２１３に心電波形データ２８０Ａとして格納する。なお、心電波形データ２８０および２８０Ａの各々には、対応する属性情報が付加されている。
【００７３】
抽出部２１１ａおよび整列部２１１ｄは、ユーザにより設定された条件に従って、それぞれ固定ディスク２１３に格納された心電波形データ２８０Ａの中から、モニタ部２２０での表示対象となる心電波形データを決定する。
【００７４】
より具体的には、抽出部２１１ａは、固定ディスク２１３に格納された心電波形データ２８０Ａを参照し、付加された属性情報が所定の抽出条件を満足するものを抽出することで表示対象となる心電波形データを決定する。また、抽出部２１１ａは、少なくとも１つの抽出条件を設定可能な抽出条件設定画面をモニタ部２２０に表示させるとともに、心電波形データ２８０Ａに付加された属性情報のうち、抽出条件設定画面を介してユーザによって設定された抽出条件を満足するものがあるか否かを判断する。そして、設定された抽出条件を満足する属性情報を見つけると、当該属性情報に対応する心電波形データを抽出する。そして、抽出部２１１ａは、その抽出した心電波形データをモニタ部２２０に表示するための指令を表示データ生成部２１１ｃへ出力する。
【００７５】
一方、整列部２１１ｄは、固定ディスク２１３に格納された心電波形データ２８０Ａを参照し、付加された属性情報に基づいて、それらの心電波形データ２８０Ａを整列条件に従って整列することで表示対象となる心電波形データを決定する。また、整列部２１１ｄは、少なくとも１つの整列条件を設定可能な整列条件設定画面をモニタ部２２０に表示させるとともに、整列条件設定画面を介してユーザによって設定された整列条件に従って、モニタ部２２０に表示される心電波形に対する並び替え（ソート）処理を行なう。
【００７６】
なお、抽出部２１１ａおよび整列部２１１ｄが協働して、モニタ部２２０での表示対象となる心電波形データを決定してもよい。この場合には、たとえば、抽出部２１１ａによって抽出された心電波形データのみに対して、整列部２１１ｄがソート処理を行なうようにしてもよい。
【００７７】
既読情報付加部２１１ｂは、ユーザ操作に応じて、固定ディスク２１３に格納された心電波形データ２８０Ａの各々に対して既読／未読を示す既読情報を付加する。具体的には、既読情報付加部２１１ｂは、ユーザが設定した抽出条件に合致した心電波形データやユーザに対して表示された心電波形データなどに対して「既読」であることを示す既読情報を付加する。なお、不揮発性メモリ１５５ｃから取得された直後の心電波形データ２８０Ａの既読情報は、いずれも「未読」となっている。
【００７８】
なお、後述するように、抽出部２１１ａは、この既読情報に基づいてモニタ部２２０に表示される心電波形の表示態様を変更する。
【００７９】
表示データ生成部２１１ｃは、抽出部２１１ａおよび整列部２１１ｄや既読情報付加部２１１ｂからの指令に応じて、モニタ部２２０に所定の画像を表示するためのデータを生成し、モニタ部２２０へ出力する。なお、表示データ生成部２１１ｃは、専用のハードウェアであるグラフィックカードなどで構成されてもよい。
【００８０】
図１４は、本実施の形態に従う携帯型心電計１００および表示装置２００における心電波形データのデータ構造を示す図である。
【００８１】
図１４（ａ）は、携帯型心電計１００において格納される心電波形データ２８０のデータ構造を示し、図１４（ｂ）は、表示装置２００において格納される心電波形データ２８０Ａのデータ構造を示す。
【００８２】
図１４（ａ）を参照して、不揮発性メモリ１５５ｃに格納される心電波形データ２８０の各々は、一例として「ＩＤ情報」、「記録日時」、「自覚症状」、「正常・異常情報」、「波形データ」の５つのフィールド２８１〜２８５を含む。各フィールドの内容について概略すると、「ＩＤ情報」フィールド２８１は、各心電波形データを特定するための識別番号などを格納し、「記録日時」フィールド２８２は、各心電波形データの測定開始日時や測定期間などの情報を格納する。また、「自覚症状」フィールド２８３は、上述の図９に示す画面に従って被験者が入力した自覚症状の有無（「自覚症状有」または「自覚症状無」）の情報、もしくはそれに加えて図１０に示す画面に従って被験者が入力した「自覚症状の種類」を格納する。「正常・異常情報」フィールド２８４は、図１１に示すような判別処理によって判別された種別情報を格納する。
【００８３】
一方、固定ディスク２１３に格納される心電波形データ２８０Ａについては、図１４（ｂ）に示すように、図１４（ａ）に示す心電波形データ２８０に対して、「既読フラグ」および「表示属性」の２つのフィールド２８６および２８７がさらに加えられる。「既読フラグ」フィールド２８６は、既読情報付加部２１１ｂによって付加される既読情報を格納する。また、「表示属性」フィールド２８７は、心電波形データをモニタ部２２０に表示する際の表示の方法などについての情報を格納する。
【００８４】
（抽出処理および表示処理）
次に、図１５を参照して、本実施の形態に従う表示装置２００において、所定の抽出条件を満足する心電波形データを抽出して表示する場合の処理手順について説明する。
【００８５】
図１５は、本実施の形態に従う表示装置２００における心電波形の抽出および表示に係る処理手順を示すフローチャートである。
【００８６】
図１３および図１５を参照して、まず、インターフェイス部２１６は、不揮発性メモリ１５５ｃが装着されると、不揮発性メモリ１５５ｃから心電波形データ２８０を読み出して、固定ディスク２１３に心電波形データ２８０Ａとして格納する（ステップＳ２００）。続いて、抽出部２１１ａとして機能するＣＰＵ２１１は、少なくとも１つの抽出条件を設定可能な抽出条件設定画面をモニタ部２２０に表示させる（ステップＳ２０２）。そして、ＣＰＵ２１１は、ユーザが抽出条件設定画面を介して設定する抽出条件を受取り（ステップＳ２０４）、固定ディスク２１３に格納された心電波形データ２８０Ａのうち、この設定された抽出条件を満足する属性情報に対応する心電波形データを抽出する（ステップＳ２０６）。
【００８７】
図１６は、本実施の形態に従う表示装置２００のモニタ部２２０に表示される抽出条件設定画面２５０の表示例を示す図である。
【００８８】
図１６を参照して、ＣＰＵ２１１は、一例として「自覚症状有り」、「頻脈」、「徐脈」、「ＲＲ間隔不整」、「心休止」、「心室性期外収縮」の６つの項目を選択可能な抽出条件設定画面２５０をモニタ部２２０に表示させる。この抽出条件設定画面２５０に対して、ユーザは所望とする抽出条件を対応するチェックボックス２５１〜２５６の少なくとも１つを選択し、実行ボタン２５７を選択する。すると、ユーザによる抽出条件設定画面２５０を介した抽出条件設定が完了する。なお、ユーザがキャンセルボタン２５８を選択すると、抽出条件設定処理は中断される。
【００８９】
再度、図１３および図１５を参照して、抽出部２１１ａとして機能するＣＰＵ２１１は、抽出した心電波形データに基づいて心電波形をモニタ部２２０に表示させる（ステップＳ２０８）。このとき、ＣＰＵ２１１は、少なくとも１つの心電波形データを同一画面上に表示するとともに、抽出した心電波形データの各々に対応する「既読フラグ」フィールド２８６（図１４）の値に応じて心電波形の表示態様を変更させる。
【００９０】
図１７は、本実施の形態に従う表示装置２００のモニタ部２２０に表示される心電波形表示画面２６０の表示例を示す図である。
【００９１】
図１７を参照して、ＣＰＵ２１１は、一例として抽出した４つの心電波形２６１〜２６４を含む心電波形表示画面２６０をモニタ部２２０に表示させる。これらの心電波形２６１〜２６４は、対応する心電波形データ２８０の「波形データ」フィールド２８５（図１４）に格納されているデータをプロットすることで描画される。なお、心電波形２６１〜２６４の各々の時間軸は同一スケールであることが望ましい。
【００９２】
また、ＣＰＵ２１１は、各心電波形２６１〜２６４に対応させて測定情報２６５，２６６を表示する。これらの測定情報２６５，２６６は、対応する心電波形データ２８０の「記録日時」フィールド２８２や「既読フラグ」フィールド２８６などに格納されているデータに基づいて表示される。特に、ＣＰＵ２１１は、「既読フラグ」フィールド２８６（図１４）に格納されている値（「既読」または「未読」）に応じてその表示態様を変更する。具体的には、ＣＰＵ２１１は、「既読フラグ」フィールド２８６に「既読」を示す値が格納されている場合には、測定情報２６６に示すような相対的に細い書体のフォントを用いて表示する一方、「既読フラグ」フィールド２８６に「未読」を示す値が格納されている場合には、測定情報２６５に示すような相対的に太い書体のフォントを用いて表示する。これにより、ユーザは、表示されている心電波形が過去に確認済のものであるか否かを一見して把握することができる。そのため、心電波形を重複して確認することを回避できるため、より効率的に診断できる。
【００９３】
なお、「既読」および「未読」に応じてフォント種別を変更する構成に代えて、フォントの色（たとえば、「黒色」と「赤色」）を変更するように構成してもよい。さらに、「常時表示」と「点滅表示（ブリンク）」との切替えや、「下線」の有無などを変更してもよい。
【００９４】
また、心電波形表示画面２６０には、各心電波形に対応付けて、チェックボックス（Ｓｅｌｅｃｔｅｄ）２６７が設けられる。このチェックボックス２６７は、ユーザがキーボード２３０やマウス２４０などを操作して、任意にチェックすることが可能に構成される。そして、ＣＰＵ２１１は、後述するように、チェックされたチェックボックス２６７に対応する心電波形データ２８０Ａの「既読フラグ」フィールド２８６の値を、「既読」を示す値に変更する。この操作の対象となった心電波形がこの操作以降に表示される場合には、「既読」の心電波形として取り扱われる。
【００９５】
なお、心電波形表示画面２６０に表示される心電波形２６１〜２６４の各々の表示色などについても変更可能に構成され、この表示色などの設定値は、心電波形データ２８０Ａの「表示属性」フィールド２８７（図１４）に格納される。
【００９６】
再度、図１３および図１５を参照して、既読情報付加部２１１ｂとして機能するＣＰＵ２１１は、ユーザが確認したと判断できる心電波形データに対応する「既読フラグ」フィールド２８６の値を「既読」に設定する（ステップＳ２１０）。ここで、「ユーザが確認した」とは、上述したようにユーザがチェックボックス２６７（図１７）をチェックした場合などが相当する。さらに、ユーザが抽出条件設定画面２５０（図１６）によって指定した抽出条件を満足する心電波形として抽出され、心電波形表示画面２６０に表示された心電波形については、「ユーザが確認した」ものとして扱ってもよい。その後、ユーザ操作によって、表示装置２００における心電波形の表示処理は終了する。
【００９７】
上述のように、抽出条件を満足するものを抽出するだけでなく、表示される心電波形を所定の整列条件に従って変更してもよい。
【００９８】
（整列処理および表示処理）
次に、図１８を参照して、本実施の形態に従う表示装置２００において、心電波形データを整列条件に従って整列し、心電波形をその整列順に表示する場合の処理手順について説明する。
【００９９】
図１８は、本実施の形態に従う表示装置２００における心電波形の整列および表示に係る処理手順を示すフローチャートである。
【０１００】
図１３および図１８を参照して、まず、インターフェイス部２１６は、不揮発性メモリ１５５ｃが装着されると、不揮発性メモリ１５５ｃから心電波形データ２８０を読み出して、固定ディスク２１３に心電波形データ２８０Ａとして格納する（ステップＳ３００）。続いて、整列部２１１ｄとして機能するＣＰＵ２１１は、整列条件を設定可能な整列条件設定画面をモニタ部２２０に表示させる（ステップＳ３０２）。そして、ＣＰＵ２１１は、ユーザが整列条件設定画面を介して設定する整列条件を受取り（ステップＳ３０４）、固定ディスク２１３に格納された心電波形データ２８０Ａを、この設定された整列条件に従って整列する（ステップＳ３０６）。
【０１０１】
図１９は、本実施の形態に従う表示装置２００のモニタ部２２０に表示される整列条件設定画面２７０の表示例を示す図である。
【０１０２】
図１９を参照して、ＣＰＵ２１１は、複数の優先順位が規定されたキーを任意に選択可能な整列条件設定画面２７０をモニタ部２２０に表示させる。すなわち、整列条件設定画面２７０には、第１優先キー選択フィールド２７１と、第２優先キー選択フィールド２７３と、第３優先キー選択フィールド２７５とが配置されており、それぞれのフィールドに対して、整列処理（ソート処理）を行なうための整列条件キーがプルダウンメニューによって選択可能になっている。この整列条件キーは、各心電波形データに付加されている属性情報に含まれるデータのうち、整列処理に用いられる項目を指定する。
【０１０３】
より具体的には、ユーザは、キーボード２３０やマウス２４０を操作して、各フィールドに設定すべき項目（一例として、「異常項目」、「自覚症状」、「記録日時」など）を設定する。このとき、ユーザは、各フィールドに対応するトグルボタン２７２，２７４，２７６についても選択する。このトグルボタン２７２，２７４，２７６は、対応するフィールドの項目について「昇順」または「降順」で整列処理を行なう。ここで、「昇順」とは、小さな値から大きな値へ向かう順、あいうえお順、アルファベット順などにソートすることを意味し、「降順」とは「昇順」と逆の順序にソートすることを意味する。
【０１０４】
このように、ユーザが優先キー選択フィールド２７１，２７３，２７５およびトグルボタン２７２，２７４，２７６について所望条件を設定した後、実行ボタン２７７を選択すると、整列部２１１ｄとしてＣＰＵ２１１は整列処理（ステップＳ３０６）を実行する。なお、ユーザがキャンセルボタン２７８を選択すると、整列処理は中断される。
【０１０５】
一例として、図１９に示すような整列条件が設定された場合の整列処理を説明すると、まず、第１優先キー選択フィールド２７１に設定された「異常項目」に着目した整列処理が実行される。すなわち、「異常項目」として、「頻脈」、「徐脈」、「ＲＲ間隔不整」、「心休止」、「心室性期外収縮」の５種類の種別情報が含まれている場合には、これらの識別情報が「昇順」になるように心電波形データがソートされる。この結果、同一の識別情報をもつ心電波形データが連続するように並び替えられる。
【０１０６】
次に、第２優先キー選択フィールド２７３に設定された「自覚症状」に着目した整列処理が実行される。すなわち、「自覚症状」として、「胸が痛い」、「ドキドキ」、「その他」、「なし」の４つの項目が含まれている場合には、これらの自覚症状が「昇順」になるように並び替えられる。この結果、同一の識別情報をもつ心電波形データ群の各々について、同一の項目をもつ心電波形データが連続するように並び替えられる。
【０１０７】
このようなソート処理によって、モニタ部２２０には、「異常項目」および「自覚症状」がいずれも同一の値をもつ心電波形データに対応する心電波形が表示されるようになる。すなわち、モニタ部２２０には、たとえば「異常項目」として「頻脈」が格納されており、かつ「自覚症状」として「胸が痛い」が格納されている心電波形データに対応する心電波形が連続して表示されることになる。
【０１０８】
再度、図１３および図１８を参照して、整列部２１１ｄとして機能するＣＰＵ２１１は、整列後の心電波形データの順に心電波形をモニタ部２２０に表示させる（ステップＳ３０８）。すなわち、整列部２１１ｄとして機能するＣＰＵ２１１は、心電波形データをソート後の表示順でモニタ部２２０に表示するための指令を表示データ生成部２１１ｃへ出力する。また、既読情報付加部２１１ｂとして機能するＣＰＵ２１１は、ユーザが確認したと判断できる心電波形データに対応する「既読フラグ」フィールド２８６の値を「既読」に設定する（ステップＳ３１０）。その後、ユーザ操作によって、表示装置２００における心電波形の表示処理は終了する。
【０１０９】
なお、ステップＳ３０８およびステップＳ３１０における処理ならびに画面表示については、上述の図１５におけるステップＳ２０８およびステップＳ２１０ならびに図１７と同様であるので、詳細な説明は繰返さない。
【０１１０】
さらに、心電波形データの抽出処理と、抽出処理された後の心電波形に対して整列処理とを重ねて実行する場合の処理手順としては、一例として、上述の図１５に示すフローチャートにおいて、ステップＳ２０６とステップＳ２０８との間に、図１８のステップＳ３０２〜ステップＳ３０６の処理を挿入したフローチャートに相当する。
【０１１１】
なお、上述の本実施の形態では、生体波形の代表例として心電波形を測定する場合について例示したが、特に心電波形に限定されるものではなく、他の生体信号を測定する携帯型測定装置にも適用可能である。
【０１１２】
また、上述の本実施の形態では、携帯型心電計１００と表示装置２００とからなる心電波形表示システムＳＹＳについて説明したが、この心電波形システムの機能のすべてを１台の携帯型心電計１００Ａにまとめてもよい。
【０１１３】
図１９は、本発明の実施の形態の変形例に従う携帯型心電計１００Ａ（心電波形システム）の機能構成を示す機能ブロック図である。図１９に示すように、携帯型心電計１００ＡのＣＰＵ１５４に対して、図１３に示す抽出部２１１ａ、既読情報付加部２１１ｂ、表示データ生成部２１１ｃ、および整列部２１１ｄの機能を付加することで、１台の携帯型心電計１００Ａを心電波形システムとして機能させることが可能となる。
【０１１４】
また、携帯型心電計１００および表示装置２００の各々で実行されるプログラムは、コンピュータのオペレーティングシステム（ＯＳ）の一部として提供されるプログラムモジュールのうち、必要なモジュールを所定の配列かつ所定のタイミングで呼出して処理を実行させるものであってもよい。その場合、プログラム自体には上記モジュールが含まれずＯＳと協働して処理が実行される。このようなモジュールを含まないプログラムも、本発明にかかるプログラムに含まれ得る。
【０１１５】
また、本発明に係るプログラムは他のプログラムの一部に組込まれて提供されるものであってもよい。その場合にも、プログラム自体には上記他のプログラムに含まれるモジュールが含まれず、他のプログラムと協働して処理が実行される。このような他のプログラムに組込まれたプログラムも、本発明にかかるプログラムに含まれ得る。
【０１１６】
提供されるプログラム製品は、ハードディスクなどのプログラム格納部にインストールされて実行される。なお、プログラム製品は、プログラム自体と、プログラムが記憶された記憶媒体とを含む。
【０１１７】
本実施の形態によれば、携帯型心電計１００によって心電波形を検出し、当該心電波形を心電波形データとして格納する際に、被験者から入力される主観的な状態値（代表的には、自覚症状の有無）を含む属性情報を付加する。一方、表示装置２００側では、この心電波形データに付加された属性情報に基づいて、診断者である医師などの所望する所定の抽出条件（たとえば、自覚症状の有無）を満足する心電波形データを容易に抽出することができる。そして、この所定の抽出条件を満足する心電波形データに基づいて、必要な心電波形が効率的に表示される。このような効率的な心電波形の抽出（選択）および表示によって、医師などによる診断を効率的に行なうことができる。
【０１１８】
また、本実施の形態によれば、各心電波形データについて「既読」または「未読」を示す情報が付加されているので、表示装置２００では、各心電波形について「既読」または「未読」を表示することができる。これにより、診断者である医師などは、既に確認済の心電波形であるか否かを一見して把握できるので、同一の心電波形を誤って同一の心電波形を複数回にわたって確認することを回避できる。そのため、多数の心電波形が測定されている場合であっても、医師などによる診断を効率的に行なうことができる。
【０１１９】
今回開示された実施の形態はすべての点で例示であって制限的なものではないと考えられるべきである。本発明の範囲は、上記した説明ではなく、特許請求の範囲によって示され、特許請求の範囲と均等の意味および範囲内でのすべての変更が含まれることが意図される。
【図面の簡単な説明】
【０１２０】
【図１】本実施の形態に従う生体波形表示システムの代表例である心電波形表示システムの概略構成図である。
【図２】本実施の形態に従う携帯型心電計の概略斜視図である。
【図３】本実施の形態に従う携帯型心電計の概略斜視図である。
【図４】本実施の形態に従う携帯型心電計を用いた被験者の測定姿勢を示す斜視図である。
【図５】図４に示す測定姿勢を上方から見た図である。
【図６】本発明の実施の形態に従う携帯型心電計の機能構成を示す機能ブロック図である。
【図７】本実施の形態に従う携帯型心電計における心電波形の測定に係る処理手順を示すフローチャートである。
【図８】本実施の形態に従う携帯型心電計の表示部における測定中の表示例を示す図である。
【図９】本実施の形態に従う携帯型心電計の表示部における測定終了後の表示例を示す図である。
【図１０】本実施の形態に従う携帯型心電計の表示部における測定終了後の表示例の別形態を示す図である。
【図１１】本実施の形態に従う携帯型心電計における心電波形データの種別情報の判別処理を説明するための図である。
【図１２】本実施の形態に従う表示装置を構成するコンピュータのハードウェア構成を示す概略構成図である。
【図１３】本発明の実施の形態に従う表示装置の機能構成を示す機能ブロック図である。
【図１４】本実施の形態に従う携帯型心電計および表示装置における心電波形データのデータ構造を示す図である。
【図１５】本実施の形態に従う表示装置における心電波形の抽出および表示に係る処理手順を示すフローチャートである。
【図１６】本実施の形態に従う表示装置のモニタに表示される抽出条件設定画面の表示例を示す図である。
【図１７】本実施の形態に従う表示装置のモニタ部に表示される心電波形表示画面の表示例を示す図である。
【図１８】本実施の形態に従う表示装置における心電波形の整列および表示に係る処理手順を示すフローチャートである。
【図１９】本実施の形態に従う表示装置のモニタ部に表示される整列条件設定画面の表示例を示す図である。
【図２０】本発明の実施の形態の変形例に従う携帯型心電計（心電波形システム）の機能構成を示す機能ブロック図である。
【符号の説明】
【０１２１】
１００  携帯型心電計、１１０  装置本体、１１１  正面、１１３  上面、１１４  下面、１１５  右側面、１１５ａ  凹部、１１６  左側面、１２０  電極部、１２１  負電極、１２２  正電極、１２３  不関電極、１３０  開閉カバー、１４０  操作部、１４１  電源ボタン、１４２  測定ボタン、１４３  メニューボタン、１４４  決定ボタン、１４５  左スクロールボタン、１４６  右スクロールボタン、１４８  表示部、１５０  処理回路、１５１  アンプ回路、１５２  フィルタ回路、１５３  コンバータ、１５４ａ  入力部、１５４ｃ  属性情報付加部、１５４ｂ  種別判別部、１５５  メモリ、１５５ａ  ＲＯＭ、１５５ｂ  ＲＡＭ、１５５ｃ  不揮発性メモリ、１６０  電源、１６１  心電波形、１６３  心拍数データ、１７０ａ〜１７２ｄ  選択領域、１８０  波間隔、１８２  期間、２００  表示装置、２１０  コンピュータ本体、２１１  ＣＰＵ、２１１ａ  抽出部、２１１ｂ  既読情報付加部、２１１ｃ  表示データ生成部、２１２  メモリ、２１３  固定ディスク、２１４  ＦＤ駆動装置、２１４ａ  ＦＤ、２１５  ＣＤ−ＲＯＭ駆動装置、２１５ａ  ＣＤ−ＲＯＭ、２１６  インターフェイス部、２２０  モニタ部、２３０  キーボード、２４０  マウス、２５０  抽出条件設定画面、２５１〜２５６，２６７  チェックボックス、２５７，２７７  実行ボタン、２５８，２７８  キャンセルボタン、２６１〜２６４  心電波形、２７０  心電波形表示画面、２７１，２７３，２７５  優先キー選択フィールド、２７２，２７４，２７６  トグルボタン、２８０，２８０Ａ  心電波形データ、２８１〜２８７  フィールド、３００  被験者、３１０  右手、３１１  親指、３１２  人差し指、３２０  前腕、３３０  上腕、３４０  右肩、３５０  胸部、ＳＹＳ  心電波形表示システム。
【図１】
2009028153.tif 000003
【図２】
2009028153.tif 000004
【図３】
2009028153.tif 000005
【図４】
2009028153.tif 000006
【図５】
2009028153.tif 000007
【図６】
2009028153.tif 000008
【図７】
2009028153.tif 000009
【図８】
2009028153.tif 000010
【図９】
2009028153.tif 000011
【図１０】
2009028153.tif 000012
【図１１】
2009028153.tif 000013
【図１２】
2009028153.tif 000014
【図１３】
2009028153.tif 000015
【図１４】
2009028153.tif 000016
【図１５】
2009028153.tif 000017
【図１６】
2009028153.tif 000018
【図１７】
2009028153.tif 000019
【図１８】
2009028153.tif 000020
【図１９】
2009028153.tif 000021
【図２０】
2009028153.tif 000022